(57)【要約】【課題】プリント注文情報に含まれるコマ画像に非着衣の人物画像が含まれるか否かを自動的に判別しながらも、写真プリントの生産効率の低下を来たすことなく、プリント処理される前にオペレータの目視による判断が容易に行なえる写真画像処理装置を提供する。【解決手段】入力されたプリント注文情報に基づいて所定順序で写真プリントを生成する写真画像処理装置４であって、プリント注文情報に含まれるコマ画像データに対応するコマ画像を表示部３１に表示し、コマ画像に対して検閲処理可能な画像検閲部６０と、検閲結果に基づいて写真プリントを生成する検閲プリントモードと、検閲無しで写真プリントを生成する自動プリントモードとを切り替えるモード切替部７０と、コマ画像データに非着衣人物画像が含まれるか否かを判別する写真画像判別部３６とを備え、モード切替部７０は、判別結果に基づいて、自動プリントモードから検閲プリントモードに切り替える。【選択図】図１
2008033655.tif 000002
【特許請求の範囲】
【請求項１】
入力された複数のプリント注文情報に基づいて所定の順序で写真プリントを生成して出力する写真画像処理装置であって、
入力されたプリント注文情報に含まれる一または複数のコマ画像データに対応するコマ画像を表示部に表示し、表示されたコマ画像に対して所定の検閲処理が可能な画像検閲部と、
前記画像検閲部による検閲結果に基づいて写真プリントを生成する検閲プリントモードと、前記画像検閲部を介さずに写真プリントを生成する自動プリントモードとを切り替えるモード切替部と、
前記プリント注文情報に含まれるコマ画像データに非着衣の人物画像が含まれるか否かを判別する写真画像判別部とを備え、
前記モード切替部は、前記写真画像判別部による判別結果に基づいて、前記自動プリントモードから前記検閲プリントモードに切り替える写真画像処理装置。
【請求項２】
前記モード切替部は、前記写真画像判別部によりコマ画像データに非着衣の人物画像が含まれると判別されたときに、当該コマ画像に対してのみ前記自動プリントモードから前記検閲プリントモードに切り替える請求項１記載の写真画像処理装置。
【請求項３】
前記モード切替部は、前記写真画像判別部によりコマ画像データに非着衣の人物画像が含まれると判別されたときに、当該コマ画像が含まれるプリント注文情報を単位として、非着衣の人物画像が含まれると判別された一または複数のコマ画像に対してのみ前記自動プリントモードから前記検閲プリントモードに切り替える請求項１記載の写真画像処理装置。
【請求項４】
前記モード切替部は、前記写真画像判別部によりコマ画像データに非着衣の人物画像が含まれると判別されたときに、当該コマ画像が含まれるプリント注文情報を単位として、当該プリント注文情報に含まれる非着衣の人物画像が含まれると判別されたコマ画像の枚数または比率が所定値以上のときに、全コマ画像に対して前記自動プリントモードから前記検閲プリントモードに切り替える請求項１または３記載の写真画像処理装置。
【請求項５】
前記写真画像判別部により非着衣の人物画像が含まれると判別された画像データの有害度を評価する有害度評価部を備え、
前記モード切替部は、前記写真画像判別部によりコマ画像データに非着衣の人物画像が含まれると判別され、前記有害度評価部により有害度が高いと評価されたときに、当該コマ画像が含まれるプリント注文情報を単位として、全コマ画像に対して前記自動プリントモードから前記検閲プリントモードに切り替える請求項１または３記載の写真画像処理装置。
【請求項６】
前記モード切替部は、前記写真画像判別部によりコマ画像データに非着衣の人物画像が含まれると判別されたときに、当該コマ画像が含まれるプリント注文情報を単位として、全コマ画像に対して前記自動プリントモードから前記検閲プリントモードに切り替える請求項１記載の写真画像処理装置。
【発明の詳細な説明】
【技術分野】
【０００１】
本発明は、入力された複数のプリント注文情報に基づいて所定の順序で写真プリントを生成して出力する写真画像処理装置に関する。
【背景技術】
【０００２】
写真プリントショップやミニラボでは、写真プリント装置を用いて顧客から依頼されたフィルム画像やデジタルカメラで撮影されたデジタル画像をプリント処理する際に、オペレータは前記写真プリント装置のモニタ画面にプリント対象画像を表示させて、色や濃度等を手動操作で補正する画像検閲処理を行なう。このときに、公序良俗に反するポルノ画像等、非着衣の人物が被写体となる有害画像が発見されると、対応する画像のプリント処理を回避するように設定することができる。
【０００３】
このような写真プリント装置には、オペレータによる画像検閲処理を行なわなくとも適正な写真プリントが生成できるように、色や濃度等を自動補正する自動処理モードが備わっている。
【０００４】
そのため、オペレータによる作業の効率化や人件費の削減等の観点から、自動処理モードで写真プリントを生成して出荷する場合には、本来出荷すべきでない上述の有害画像が誤って出荷される可能性があった。
【０００５】
一方、インターネット上で有害画像の流通を回避する技術として、特許文献１には、複数のユーザーで共有できるフィルタリングデータベースを設けて、前記フィルタリングデータベースに有害情報等の情報を共有することで、訪問販売業者や、セールス電話や、インターネット上の有害情報へのアクセス等を排除するフィルタリングデータサーバーが提案されている。
【０００６】
さらに、有害画像であるか否かを判断する画像分析技術として、特許文献２には以下の手法が記載されている。先ず、領域分割された画像データから抽出された複数の肌色領域が予め設定された面積の組合せパターンの何れに属するか決定して、前記複数の肌色領域の面積と重心から肌色分布特徴量を求める。次に個々の肌色領域に対して、各肌色領域が属すると決定された面積の組合せパターンに適合したパターン別基準に肌色分布特徴量を照らして、有害画像と判断されなかった画像を除外する。そして、除外されなかった画像を予め設定された顔画像データのパターンに照らして、有害画像と判断されなかった画像を除外して、ここでも除外されなかった画像が有害画像であると判断するものである。
【０００７】
【特許文献１】特開２００４−１０２６６２号公報
【特許文献２】特開２００２−１７５５２７号公報
【発明の開示】
【発明が解決しようとする課題】
【０００８】
しかし、特許文献１に記載されたフィルタリングデータサーバーは、前記フィルタリングサーバーにおいて共有されている画像にのみ効果を発揮するものであり、個々の画像そのものが有害画像であるか否かを解析する具体的な技術を提供するものではなかった。
【０００９】
また、特許文献２に記載された有害画像の弁別方法は、明度や色相のエッジで分割される肌領域の構成パターンと、多数の猥褻ヌード写真を分析した肌領域の構成パターンとの一致度を照合するものであり、人種による肌領域の色相には相当な開きがあり、対象画像から頭部や胴部等の肌領域を適切に切出すのは容易ではなく、また、弁別処理も煩雑で処理負荷が大きくなり、短時間で多くの写真画像を処理する必要のある写真プリント装置に適用するのは困難であった。
【００１０】
そこで、本願発明者らは、写真プリントのための画像処理に適した非着衣の人物画像の判別方法を研究しているが、そのような判別方法を用いて非着衣の人物画像と判別された画像が必ずしも排除すべき有害画像であると断定することができないため、自動的にプリント処理を回避するのは困難である。
【００１１】
そのため、最終的にオペレータの目視による判断を求めざるを得ないのであるが、多数のプリント注文情報に含まれるコマ画像に対して、非着衣の人物画像と判別されるたびに個別に画像検閲処理を要する場合には、処理に手間が掛かり写真プリントの生産効率が低下するという問題があった。
【００１２】
本発明の目的は、上述した従来の問題点に鑑み、プリント注文情報に含まれるコマ画像に非着衣の人物画像が含まれるか否かを自動的に判別しながらも、写真プリントの生産効率の低下を来たすことなく、プリント処理される前にオペレータの目視による判断が容易に行なえる写真画像処理装置を提供する点にある。
【課題を解決するための手段】
【００１３】
上述の目的を達成するため、本発明による写真画像処理装置の第一の特徴構成は、特許請求の範囲の書類の請求項１に記載した通り、入力された複数のプリント注文情報に基づいて所定の順序で写真プリントを生成して出力する写真画像処理装置であって、入力されたプリント注文情報に含まれる一または複数のコマ画像データに対応するコマ画像を表示部に表示し、表示されたコマ画像に対して所定の検閲処理が可能な画像検閲部と、前記画像検閲部による検閲結果に基づいて写真プリントを生成する検閲プリントモードと、前記画像検閲部を介さずに写真プリントを生成する自動プリントモードとを切り替えるモード切替部と、前記プリント注文情報に含まれるコマ画像データに非着衣の人物画像が含まれるか否かを判別する写真画像判別部とを備え、前記モード切替部は、前記写真画像判別部による判別結果に基づいて、前記自動プリントモードから前記検閲プリントモードに切り替える点にある。
【００１４】
上述の構成によれば、写真画像判別部によりプリント注文情報に含まれるコマ画像データに非着衣の人物画像が含まれていないと判別されたときには、自動プリントモードによる処理が継続されることで高速に写真プリントを生産することができ、写真画像判別部によりプリント注文情報に含まれるコマ画像データに非着衣の人物画像が含まれていると判別されたときには、モード切替部により検閲プリントモードに切り替えられ、オペレータの目視による検閲処理、つまり写真プリントするべきか否かの判断が行なえるようになる。従って、写真プリントの生産効率の低下を来たすことなく、プリント注文情報に含まれるコマ画像データに有害画像が含まれるか否かを確実に判別することが可能になる。
【００１５】
同第二の特徴構成は、同請求項２に記載した通り、上述の第一特徴構成に加えて、前記モード切替部は、前記写真画像判別部によりコマ画像データに非着衣の人物画像が含まれると判別されたときに、当該コマ画像に対してのみ前記自動プリントモードから前記検閲プリントモードに切り替える点にある。
【００１６】
上述の構成によれば、写真画像判別部によりコマ画像データに非着衣の人物画像が含まれると判別される度に検閲プリントモードに切り替えられるので、非着衣の人物画像が含まれると判別されたコマ画像に対するオペレータによる検閲を迅速に行なうことができるようになる。
【００１７】
同第三の特徴構成は、同請求項３に記載した通り、上述の第一特徴構成に加えて、前記モード切替部は、前記写真画像判別部によりコマ画像データに非着衣の人物画像が含まれると判別されたときに、当該コマ画像が含まれるプリント注文情報を単位として、非着衣の人物画像が含まれると判別された一または複数のコマ画像に対してのみ前記自動プリントモードから前記検閲プリントモードに切り替える点にある。
【００１８】
上述の構成によれば、プリント注文情報に含まれるコマ画像データのうち、非着衣の人物画像が含まれないと判別されたコマ画像データはそのまま写真プリントされ、非着衣の人物画像が含まれると判別されたコマ画像データのみが検閲プリントモードに切り替えられるので、効率的に写真プリントを生産し、且つ、オペレータによる効率的な検閲処理を行なうことができるようになるのである。
【００１９】
同第四の特徴構成は、同請求項４に記載した通り、上述の第一または第三特徴構成に加えて、前記モード切替部は、前記写真画像判別部によりコマ画像データに非着衣の人物画像が含まれると判別されたときに、当該コマ画像が含まれるプリント注文情報を単位として、当該プリント注文情報に含まれる非着衣の人物画像が含まれると判別されたコマ画像の枚数または比率が所定値以上のときに、全コマ画像に対して前記自動プリントモードから前記検閲プリントモードに切り替える点にある。
【００２０】
一つのプリント注文情報に非着衣の人物画像が含まれると判別されたコマ画像の枚数または比率が所定値以上であると、当該プリント注文情報において非着衣の人物画像が含まれると判別されなかった他のコマ画像にも有害な画像が含まれている可能性が高く、このような場合に全コマ画像に対して前記自動プリントモードから前記検閲プリントモードに切り替えてオペレータによる検閲処理を行なうことで、前記写真画像判別部で判別できなかった有害画像であっても適切に対処することができるようになる。
【００２１】
同第五の特徴構成は、同請求項５に記載した通り、上述の第一または第三特徴構成に加えて、前記写真画像判別部により非着衣の人物画像が含まれると判別された画像データの有害度を評価する有害度評価部を備え、前記モード切替部は、前記写真画像判別部によりコマ画像データに非着衣の人物画像が含まれると判別され、前記有害度評価部により有害度が高いと評価されたときに、当該コマ画像が含まれるプリント注文情報を単位として、全コマ画像に対して前記自動プリントモードから前記検閲プリントモードに切り替える点にある。
【００２２】
写真画像判別部により非着衣の人物画像が含まれると判別された画像データに対して、有害度評価部により有害度が高いと判断されるような画像を写真プリントするのは極めて不適切である。また、あるプリント注文情報に有害度が高い画像が含まれると判別されたコマ画像が存在する場合には、当該プリント注文情報における他のコマ画像にも有害度が高い画像が含まれている可能性が高い。そこで、一つのプリント注文情報に有害度が高い画像が一枚でも含まれていると判別された場合には、全コマ画像に対して前記自動プリントモードから前記検閲プリントモードに切り替えることにより、オペレータによる厳格な検閲処理を行なうことができるようになる。
【００２３】
同第六の特徴構成は、同請求項６に記載した通り、上述の第一特徴構成に加えて、前記モード切替部は、前記写真画像判別部によりコマ画像データに非着衣の人物画像が含まれると判別されたときに、当該コマ画像が含まれるプリント注文情報を単位として、全コマ画像に対して前記自動プリントモードから前記検閲プリントモードに切り替える点にある。
【００２４】
一つのプリント注文情報に一枚でも非着衣の人物画像が含まれると判別される画像が存在する場合には、当該プリント注文情報に含まれる他の画像にも同様の画像が含まれる可能性が高い傾向がある。そこで、一つのプリント注文情報に非着衣の人物画像と判別される画像が一枚でも含まれている場合には、全コマ画像に対して前記自動プリントモードから前記検閲プリントモードに切り替えることにより、オペレータによる厳格な検閲処理を行なうことができるようになる。
【発明の効果】
【００２５】
以上説明した通り、本発明によれば、プリント注文情報に含まれるコマ画像に非着衣の人物画像が含まれるか否かを自動的に判別しながらも、写真プリントの生産効率の低下を来たすことなく、プリント処理される前にオペレータの目視による判断が容易に行なえる写真画像処理装置を提供することができるようになった。
【発明を実施するための最良の形態】
【００２６】
以下に、本発明による写真画像処理装置を写真プリント注文システムの一部として適用した実施形態について説明する。
【００２７】
写真プリント注文システムは、図２に示すように、写真ラボ店に設置された複数の受付端末１と、各受付端末１に入力されたプリント注文情報に基づいて写真プリントを生成する写真画像処理装置４としての写真プリント装置とを備えて構成され、来店した顧客Ｍが、携帯電話やデジタルカメラ等のデジタル撮影機器によって撮影された写真画像データが格納されたメディア２を受付端末１に設けられたメディアドライブに挿入して、操作端末から入力された氏名や連絡先等のＩＤ情報、プリント画像情報、プリント枚数、プリントサイズ等を入力すると、内蔵プリンタから受付伝票３が出力されるように構成されている。
【００２８】
受付端末１では入力されたＩＤ情報、プリント画像情報、プリント枚数、プリントサイズ等に基づいてプリント注文情報が生成されて写真画像処理装置４に送信され、写真画像処理装置４は受信したプリント注文情報に基づいて写真プリント５を生成する。
【００２９】
受付伝票３にはプリント仕上がり予定時間が記載され、当該仕上がり予定時間に写真ラボ店の受付カウンタの係員に受付伝票３を提示して料金を支払うと、写真プリントが引き渡される。
【００３０】
前記受付端末１は、図３に示すように、ケース１０と、ケース１０の上部に設置された写真注文受付処理部１１とで構成され、図４に示すように、写真注文受付処理部１１と写真画像処理装置４とがデータ伝送ラインＬで接続されている。
【００３１】
前記写真注文受付処理部１１は、顧客が所持するＣＤ、ＣＦカードやＳＤメモリカード等の各種の可搬性のメディア２に記憶された写真画像データを読取るためのデータ入力手段としての複数種類のメディアドライブ１２と、前記メディアドライブ１２により読み込まれた写真画像を表示する表示手段としての液晶表示部１３と、前記液晶表示部１３に表示された写真画像に対してプリント枚数やプリントサイズ等の注文データを入力するべく、前記液晶表示部１３の表面に配置された入力手段としてのタッチパネル１４等を備えて構成されている。
【００３２】
前記写真画像処理装置４は、各受付端末１から伝送された複数のプリント注文情報に基づいて所定の順序で写真プリントを生成して出力するように構成されており、図４と図１に示すように、前記受付端末１より入力された前記プリント注文情報に含まれる一連のコマ画像データを格納するハードディスク等でなる画像データ記憶部３０と、前記コマ画像データを表示する表示部３１と、キーボードやマウスを備えた操作入力部３２と、後述する画像処理部３５による画像処理後のデータに基づいて印画紙Ｐを露光して写真プリントを生成する写真プリント部３３と、所定のオペレーティングシステムによる管理の下でインストールされたアプリケーションプログラムに基づいて上述の各ブロックをシステムとして制御するシステムコントローラ３４と、前記表示部３１に表示された写真画像に対する前記操作入力部３２を介した各種操作に基づいて或いは自動的に前記画像データを編集処理する画像処理部３５と、前記プリント注文情報に含まれるコマ画像データに非着衣の人物画像が含まれているか否かを判別する写真画像判別部３６と、前記写真画像判別部３６により非着衣の人物画像が含まれると判別された画像データの有害度を評価する有害度評価部７０と、入力されたプリント注文情報に含まれる一または複数のコマ画像データに対応するコマ画像を前記表示部３１に表示し、表示されたコマ画像に対して所定の検閲処理が可能な画像検閲部５０と、前記画像検閲部５０による検閲結果に基づいて写真プリントを生成する検閲プリントモードと前記画像検閲部５０を介さずに写真プリントを生成する自動プリントモードとを切り替えるモード切替部６０と、を備えて構成されている。
【００３３】
前記写真プリント部３３は、ロール状の印画紙Ｐが収容されたペーパーマガジン３３０と、前記ペーパーマガジン３３０から印画紙Ｐを引き出して搬送する複数の印画紙搬送ローラ３３１と、前記搬送ローラ３３１を駆動するモータ３３２と、搬送される印画紙Ｐの感光面を露光する蛍光ビーム方式のプリントヘッド３３３と、露光済みの印画紙Ｐに現像、漂白、定着の各処理を施す現像処理部３３４と、現像処理された印画紙Ｐを乾燥しながら搬送する乾燥部３３５と、乾燥された印画紙Ｐを最終のプリントとして排出する排出部３３６とを備えて構成され、前記ペーパーマガジン３３０から引き出された印画紙Ｐは現像処理の前後何れかに配置されたカッター（図示せず）によって所定のプリントサイズにカットされて前記排出部３３６に出力される。
【００３４】
前記プリントヘッド３３３は、赤、緑、青の各波長のレーザから出力され、回転多面鏡で走査される光線束を、後述する画像処理部３５で編集処理された写真画像データのＲ成分、Ｇ成分、Ｂ成分の各画素データに基づいて変調するレーザ式の露光光学系で構成され、印画紙Ｐ上に写真画像を露光する。
【００３５】
前記システムコントローラ３４は、前記写真画像処理装置４を動作させるプログラムを格納するＲＯＭと、データ処理領域や写真画像データ編集のために使用されるＲＡＭと、前記プログラムを実行するＣＰＵと、周辺回路とを備えており、前記プログラムに基づいて前記写真画像処理装置４の各ブロックを制御するように構成されている。
【００３６】
前記画像処理部３５は、前記表示部３１に表示された写真画像に対して、階調補正を行なう濃度補正部３５０と、カラーバランスを調整するカラー補正部３５１と、対象画像を拡大または縮小処理する拡縮処理部３５２等を備えて構成される。
【００３７】
前記システムコントローラ３４は、操作入力部３２を介したオペレータの操作により、画像を自動補正するモードが選択されると、前記画像処理部３５を起動して、前記受付端末１から入力されたプリント注文情報に含まれるコマ画像に対して、順番に濃度補正、カラーバランス補正等の必要な画像処理を実行させるとともに、前記写真画像判別部３６を起動して画像データに非着衣の人物画像が含まれるか否かを自動判別させる。
【００３８】
尚、オペレータの操作により、画像を手動補正するモードが選択されると、図示しない操作画面に表示される操作ボタンを操作することにより画像処理及び写真画像判別処理がプリント注文情報を単位に起動され、当該プリント注文情報に含まれる各画像のサムネイル画像が前記表示部３１に表示される。オペレータは、表示される画像毎に手動操作で画像補正処理を行なうとともに検閲処理を行ない、有害画像のプリント出力を禁止操作することができる。
【００３９】
前記写真画像判別部３６は、図５に示すように、入力されたカラー画像データから人物の顔領域を検出する顔情報抽出部４１と、前記画像データから人物の肌領域を検出する肌領域検出部４２と、前記顔領域と前記肌領域との間の領域連続性を判別する領域判別部４３と、前記画像データから人物の特定部位に対応する特定領域を推定する特定領域推定部４４と、前記画像データに非着衣の人物画像が含まれるか否かを判別する画像判別部４５とを備えて構成されている。
【００４０】
これらの各処理部では、図５に示すように、処理Ａ（実線矢印）、処理Ｂ（点線矢印）、処理Ｃ（一点鎖線矢印）で示す三通りの処理経路の何れかでデータが処理されることにより非着衣の人物画像が含まれるか否が判別される。
【００４１】
さらに、前記写真画像判別部３６は、前記顔領域または前記肌領域から姿態特徴データを抽出する特徴データ抽出部４６と、前記姿態特徴データに基づいて被写体の年齢を推定する年齢推定部４７を備えて構成されており、図５において処理Ｄ（二点鎖線矢印）で示すように、前記年齢推定部４７を経ることで、前記画像判別部４５における非着衣の人物画像が含まれるか否かの判別結果に、当該人物画像の年齢を加えるように構成されている。
【００４２】
前記顔情報抽出部４１は、入力されたカラー画像データから人物の顔領域を検出し、前記顔領域の肌の色差データと、前記顔領域の向きと、前記顔領域の大きさを抽出するように構成されている。
【００４３】
入力されたカラー画像データからの人物の顔領域の検出は、例えば、前記カラー画像データから抽出された濃度エッジやカラーエッジに基づく輪郭が顔領域であるか否かを、予め準備された顔領域の輪郭、目、鼻、口、耳等の複数の要素配置パターンとの一致度を評価することによるパターン認識技術に基づいて検出する等といった公知の技術を用いて実現されるものである。例えば、図６（ａ）に示すように、顔領域が矩形の枠で検出される。
【００４４】
前記顔領域の肌の色差データは、検出された前記顔領域を構成する画素全てにおいてＲ成分、Ｇ成分、Ｂ成分の平均値を導出し、各成分の平均値を〔数１〕に適用してＹＣＣ表色系に変換することで得られるＹＣＣ表色系におけるＣｂ成分（輝度と青の色差）とＣｒ成分（輝度と赤の色差）として算出される。以下、前記顔領域の肌の色差データのうちＣｂ成分をＣｂｓと表記し、Ｃｒ成分をＣｒｓと表記し、まとめて（Ｃｂｓ，Ｃｒｓ）と表記する。尚、Ｙ成分（輝度）を用いず、Ｃｂ成分とＣｒ成分のみを用いることによって、顔領域や肌領域を識別する際に不要な明暗を除外することができる。
【数１】
2008033655.tif 000003
【００４５】
前記顔領域の向きは、例えば、検出された顔領域の輪郭、目、鼻、口、耳等の複数の要素間の相対的な位置関係を座標情報として算出して、予め準備された様々な要素間相対位置に対応する顔向きが登録された顔方向パターンを、算出した座標情報と照合することで得られるように構成されている。
【００４６】
前記顔領域の大きさは、検出された前記顔領域の画素数を顔領域の大きさとして算出する。例えば、図６（ａ）における矩形の枠の面積を顔領域の大きさとして算出する。
【００４７】
前記肌領域検出部４２は、前記顔情報抽出部４１で抽出された肌の色差データと相関のある領域を、前記カラー画像データまたは後述する特定領域から肌領域として検出するように構成されている。
【００４８】
詳述すると、前記カラー画像データの全ての画素、または、図６（ｄ）において矩形領域Ｔ２として示す特定領域内の全ての画素についての各画素の色差データ（Ｃｂｎ，Ｃｒｎ）を算出する。尚、ｎは画素の番号を表しており、範囲は１（最小値）から被算出画素データ数（最大値）までである。
【００４９】
次に、算出した各画素の色差データ（Ｃｂｎ，Ｃｒｎ）と顔領域の肌の色差データ（Ｃｂｓ，Ｃｒｓ）との距離Ｄｎを〔数２〕により算出して、各画素についての距離Ｄｎが予め設定した閾値よりも大きいか小さいかによって２値化処理を行う。２値化処理の結果、前記距離Ｄｎが前記閾値よりも小さかった領域を肌領域として検出する。尚、前記２値化処理における閾値の算出は、例えば、２値化処理を行う対象である全ての画素を二つのクラスに分けて、二つのクラス間の分離が最大になるように閾値を決める手法である判別分析法等を用いる。
【数２】
2008033655.tif 000004
【００５０】
図６（ａ）に示したカラー画像データの全ての画素について２値化処理を行って肌領域を検出した結果を図６（ｂ）に示す。図６（ｂ）において黒く塗りつぶされた部分が検出された肌領域を示し、灰色部分は肌領域でない領域を示す。
【００５１】
前記領域判別部４３は、前記顔領域と前記肌領域検出部４２で検出された肌領域との間の領域連続性を判別するように構成されており、前記肌領域検出部４２で検出された肌領域に対してラベリング処理を行った後、前記ラベリング処理の結果に基づいて領域連続性の判別を行う。
【００５２】
前記ラベリング処理は、以下のような処理を行うことで、処理を行う画像において連結している画素を一つの領域と見なして共通のラベルを付する処理である。つまり、図７（ａ）に示すように、画像上でラベルが付されておらず且つ所定の条件（例えば白色でない）との条件を満たす画素を見つけ、新しいラベルＲ１を付加して、図７（ｂ）に示すように、新しいラベルＲ１を付加した画素に連結している画素を走査して所定の条件を満たすならば同一のラベルを付加する。図７（ｃ）に示すように、以上の処理を当該画像内にラベルを付加する画素がなくなるまで繰り返す。
【００５３】
一例として、上記の処理を図７（ｄ）に示すような３個の肌領域を有する画像に対して行った場合、図７（ｅ）に示すように、３個の肌領域に対してＲ１からＲ３のラベルが付される。よって、前記肌領域に対してラベリング処理を行うと、前記カラー画像データ内に存在する各肌領域に異なるラベルが付されることになる。
【００５４】
前記領域連続性の判別は、例えば、前記顔領域内の任意の画素の探索を行い最初に探索された画素に付されているラベルを顔領域のラベルとして、前記顔領域のラベルと同一のラベルが付されている肌領域を、前記顔領域との間で領域連続性を有する領域として検出する。
【００５５】
図６（ｂ）に示す肌領域を検出した画像データについて、前記領域連続性の判別を行った結果を図６（ｃ）に示す。図６（ｃ）において黒色部分が顔領域と領域連続性を有する領域として検出された肌領域である。
【００５６】
前記特定領域推定部４４は、前記顔領域の向き及び大きさに基づいて当該人物の胸部や下腹部等の予め設定された特定部位に対応する特定領域の位置を推定するように構成されている。
【００５７】
例えば、図６（ｄ）に示すように、顔領域を検出した際の矩形領域Ｔ１を、前記矩形領域Ｔ１の縦幅Ｔ１ｙの１．５倍分、被写体の胴体側へ移動させた矩形領域Ｔ２を当該人物の特定部位である胸に対応する特定領域として推定する。
【００５８】
上述の例では、多数の人物画像を分析した結果として、顔領域の縦幅の１．５倍分、被写体の胴体側へ移動させた領域を胸に対応する特定領域として推定したが、推定を行う特定部位によっては、１．５倍ではなく異なる倍率分移動させる構成であってもよいことは言うまでもない。例えば複数の典型的な被写体のポーズを基準に予め顔領域の向き及び大きさと特定部位の相対位置関係を推定データとして備えることにより、被写体の顔領域の向き及び大きさから特定部位の存在位置を推定することができる。
【００５９】
また、上述の例では、被写体の胴体側は下方向であったが、画像によっては必ずしも胴体側が下方向であるとは限らない。例えば、頭を左側にして横になっている人物画像の場合は、胴体側が横方向になるからである。このような場合は、前記顔領域の向きに基づいて前記特定領域を推定する。つまり、口は目の右側にある等の顔を構成する要素間の相対位置から顔領域の向きを割り出して、被写体の胴体側（例えば右側）へ移動させた矩形領域を当該人物の特定部位である胸に対応する特定領域として推定する。
【００６０】
前記画像判別部４５は、前記領域判別部４３で連続領域と判別された顔領域と肌領域の面積比、または、前記肌領域検出部４２による検出情報に基づいて前記特定領域推定部４４により推定された特定領域における肌領域と非肌領域の面積比の何れかの面積比に基づいて、前記カラー画像データに非着衣の人物画像が含まれるか否かを判別するように構成されている。
【００６１】
人間の体全体に対する顔の割合は略同一であることから、人物画像において、当該人物画像が非着衣の場合は、ある顔領域と肌領域の面積比は略同一となるが、当該人物画像が服を着用している場合は、服の部分だけ肌領域が減少するので面積比は不自然に小さくなる。この事実に基づき多数の非着衣人物画像を統計分析することによって、当該人物が非着衣であるか否かを判断する基準となる顔領域閾値を算出する。
【００６２】
そして、前記画像判別部４５は、ある画像において、顔領域と肌領域の面積比が前記顔領域閾値よりも大きい場合は、当該画像に非着衣人物画像が含まれていると判断し、顔領域と肌領域の面積比が前記顔領域閾値以下の場合は、当該画像に非着衣人物画像は含まれていないと判断する。尚、前記顔領域の面積は、図６（ａ）に示す矩形の面積、または、図６（ａ）に示す矩形内に存在する図６（ｂ）において黒色で示される肌領域の面積の何れかである。
【００６３】
また、前記特定領域が胸領域である場合において、非着衣であると領域内の殆どの画素が肌領域となることから、前記特定領域における肌領域の非肌領域に対する面積比は略１００パーセントになるくらいに大きくなるが、服を着用していると領域内の服の部分は肌領域ではないことから前記面積比は小さくなる等といった、ある特定領域における肌領域と非肌領域についての面積比が異なる人物画像において略同一となる事実に基づき、多数の非着衣人物画像の様々な特定領域を統計分析することによって、当該人物が非着衣であるか否かを判断する基準となる特定領域閾値を算出する。
【００６４】
そして、前記画像判別部４５は、ある画像において、特定領域における肌領域と非肌領域の面積比が前記特定領域閾値よりも大きい場合は、当該画像に非着衣人物画像が含まれていると判断し、特定領域における肌領域と非肌領域の面積比が前記特定領域閾値以下の場合は、当該画像に非着衣人物画像は含まれていないと判断する。
【００６５】
前記特徴データ抽出部４６は、前記顔情報抽出部４１で抽出された顔領域または前記肌領域検出部４２で検出された肌領域から姿態特徴データを抽出するように構成されており、肌の凹凸情報や輪郭情報等、例えば、顔の輪郭、髪型、鼻の高さ、唇の色、皺、眉の形等、胸の形状、または胴体や手足の輪郭、さらには頭部と身長の比率等が姿態特徴データとして抽出される。
【００６６】
このような姿態特徴データの抽出は、顔の構成要素の位置に基づいて、前記構成要素に近いほど密に特徴点の位置を設定し、前記構成要素から離れるほど粗に特徴点を設定するサンプリング手法や、設定された特徴点に対しガボールウェーブレット変換を実行することによって、前記特徴点の周辺における濃淡特徴の周期性や方向性を姿態特徴データとして抽出するといった公知の技術を用いて実現される。
【００６７】
前記年齢推定部４７は、前記特徴データ抽出部４６で抽出された姿態特徴データと予め年齢層毎にサンプリングされた姿態特徴データに基づいて被写体の年齢を推定するように構成されている。
【００６８】
被写体の年齢の推定は、例えば、構成要素毎に多数のサンプル画像のうちの代表的なサンプル画像が、または、構成要素毎に多数のサンプル画像を平均化したサンプル画像が姿態特徴データとして予め年齢層毎にデータベースとして登録されており、予め登録されている姿態特徴データと前記特徴データ抽出部４６で抽出された姿態特徴データとで比較を行うことによって、各構成要素毎に年齢層を推定して、最も多数の構成要素によって推定された年齢層を被写体の年齢層として推定するように構成されている。
【００６９】
前記画像検閲部５０は、入力されたプリント注文情報に含まれる一または複数のコマ画像データに対応するコマ画像を表示部３１に表示し、表示されたコマ画像に対して所定の検閲処理を行うことができるように構成されている。
【００７０】
前記画像検閲部５０によって表示された画面は、図８に示すように、オペレータに対する指示や警告等の所定のメッセージを表示するメッセージ表示エリア５０１と、コマ画像が表示されるコマ画像表示枠５０２と、前記コマ画像表示枠５０２に表示され且つアクティブ化されているコマ画像に対して当該コマ画像の写真プリントを生成するか否か選択するプリント選択スイッチ５０３と、当該プリント注文情報に含まれるコマ画像の枚数等が表示される枚数表示エリア５０４と、現画面に表示されていないコマ画像を表示させるための「次ページ」スイッチ５０５と、押圧することによって前記画像検閲部５０での検閲処理の設定を確定して、写真プリントを生成するように選択をしたコマ画像について写真プリントの生成を行わせる「セット」スイッチ５０６と、現画面が表示される前の直前の設定画面に戻すための「戻る」スイッチ５０７等を備えて構成されている。
【００７１】
尚、コマ画像のアクティブ化は、アクティブしたいコマ画像上に前記操作入力部３２を構成するマウスのカーソルを移動させて、前記マウスをクリックすると当該コマ画像がアクティブ化される。
【００７２】
前記プリント選択スイッチ５０３による写真プリント生成の選択は、前記プリント選択スイッチ５０３を押圧することで、前記コマ画像表示枠５０２に表示され且つアクティブ化されているコマ画像の右下部が「Ｐｒｉｎｔ」と「ＰＡＳＳ」に切替表示される。前記コマ画像表示枠５０２に表示されているコマ画像の右下部が「Ｐｒｉｎｔ」表示のときは、前記「セット」スイッチ５０６を押圧したときに、当該コマ画像の写真プリントが許可され、前記コマ画像表示枠５０２に表示されているコマ画像の右下部が「ＰＡＳＳ」表示のときは、当該コマ画像の写真プリントが禁止される。
【００７３】
前記枚数表示エリア５０４は、プリント注文情報の識別番号を表示する「Ｎｏ．」表示部５０４ａと、当該プリント注文情報に含まれるコマ画像のうち前記画像検閲部５０によって表示部３１に表示させられているコマ画像の枚数を表示する「検閲コマ」表示部５０４ｂと、当該プリント注文情報に含まれるコマ画像の枚数を表示する「全コマ」表示部５０４ｃとを備えて構成されている。
【００７４】
前記モード切替部６０は、自動プリントモードが選択されているときに、所定条件を満たすと検閲プリントモードに切り替えるように構成されており、検閲プリントモードに切り替えられた状態で、前記表示部３１に表示されたモード切替スイッチを操作することにより、上述の画像を手動補正するモードや自動プリントモードに切り替えられるように構成されている。
【００７５】
前記検閲プリントモードでは、前記画像検閲部５０によってコマ画像が表示部３１に表示され、表示された全てのコマ画像に対して写真プリントを生成するか否かの選択をオペレータが手動で行った後に、写真プリントを生成する選択がなされたコマ画像のみに対して写真プリントが生成される。一方、自動プリントモードでは、オペレータによる写真プリント生成有無の選択処理が行われることなく写真プリントが生成される。
【００７６】
前記写真画像処理装置４は、通常は、全てのコマ画像に対して自動プリントモードで動作しているが、条件に応じて、つまり、前記コマ画像に対する前記写真画像判別部３６による判別結果に基づいて、コマ画像単位またはプリント注文情報単位で、前記モード切替部６０に自動プリントモードから検閲プリントモードに切り替えさせるように構成されている。以下に、前記モード切替部６０が前記所定条件に基づいて自動プリントモードから検閲プリントモードへの切り替えを行う態様について説明する。
【００７７】
第一の態様
【００７８】
前記モード切替部６０は、前記写真画像判別部３６によりコマ画像データに非着衣の人物画像が含まれると判別されたときに、当該コマ画像に対してのみ前記自動プリントモードから前記検閲プリントモードに切り替える。
【００７９】
例えば、図９（ａ）に示すようなＡからＦの６枚のコマ画像より構成され、コマ画像Ｂとコマ画像Ｄが非着衣の人物画像を含む画像であるプリント注文情報について処理を行う場合、前記写真画像判別部３６は、先頭のコマ画像Ａから順番に自動プリントモードにて非着衣の人物画像が含まれるか否かの判別処理を行う。
【００８０】
自動プリントモードであるので判別処理で非着衣の人物画像が含まれないと判別されたコマ画像から逐一、写真プリントの生成処理が行われる。一方、前記写真画像判別部３６による判別処理において、非着衣の人物画像が含まれると判別された時点（コマ画像Ｂ）で、前記モード切替部６０は、前記画像データ記憶部３０に前記コマ画像Ｂを格納しておく。本例の場合は、前記写真画像判別部３６によるコマ画像Ｄも非着衣の人物画像が含まれると判別されて前記画像データ記憶部３０に格納される。
【００８１】
最後のコマ画像Ｆまで判別処理され、許容される写真プリントの生成処理が完了すると、前記モード切替部６０は自動プリントモードから検閲プリントモードに切り替え、前記画像検閲部５０は、図９（ｂ）に示すように、格納されていた前記コマ画像Ｂ、Ｄを表示部３１に表示させる。
【００８２】
オペレータが、非着衣の人物画像が含まれていると判別されたコマ画像Ｂ、Ｄのうち、写真プリントの生成を行うとの判断を行ない、プリント選択したコマ画像について写真プリントの生成処理が行われる。
【００８３】
第二の態様
【００８４】
前記モード切替部６０は、前記写真画像判別部３６によりコマ画像データに非着衣の人物画像が含まれると判別されたときに、当該コマ画像が含まれるプリント注文情報を単位として、非着衣の人物画像が含まれると判別された一または複数のコマ画像に対してのみ前記自動プリントモードから前記検閲プリントモードに切り替える。
【００８５】
例えば、図９（ａ）に示すようなＡからＦの６枚のコマ画像より構成され、コマ画像Ｂとコマ画像Ｄが非着衣の人物画像を含む画像であるプリント注文情報について処理を行う場合、前記写真画像判別部３６は、先頭のコマ画像Ａから最後のコマ画像Ｆまで順番に自動プリントモードにて非着衣の人物画像が含まれるか否かの判別処理を行う。本構成の場合は、自動プリントモードであるが、プリント注文情報を単位とするので、当該プリント注文情報についての全てのコマ画像についての判別処理が完了するまでは、写真プリントの生成処理は行われない。
【００８６】
前記写真画像判別部３６による判別処理において、あるコマ画像（コマ画像Ｂおよびコマ画像Ｄ）について非着衣の人物画像が含まれると判別されると、前記モード切替部６０は、前記画像データ記憶部３０に前記コマ画像Ｂ、Ｄを格納しておく。
【００８７】
最後のコマ画像Ｆまで判別処理が完了すると、前記モード切替部６０は、自動プリントモードから検閲プリントモードに切り替え、前記画像検閲部５０は、図９（ｂ）に示すように、格納しておいた前記コマ画像Ｂ、Ｄを表示部３１に表示させる。
【００８８】
オペレータが非着衣の人物画像が含まれていると判別されたコマ画像Ｂ、Ｄのうち、写真プリントの生成を行うとの判断を行ない、プリント選択したコマ画像と、非着衣の人物画像が含まれていないと判別されたコマ画像Ａ、Ｃ、Ｅ、Ｆが写真プリントされる。
【００８９】
第三の態様
【００９０】
前記モード切替部６０は、前記写真画像判別部３６によりコマ画像データに非着衣の人物画像が含まれると判別されたときに、当該コマ画像が含まれるプリント注文情報を単位として、当該プリント注文情報に含まれる非着衣の人物画像が含まれると判別されたコマ画像の枚数または比率が所定値以上のときに、全コマ画像に対して前記自動プリントモードから前記検閲プリントモードに切り替える。
【００９１】
例えば、図９（ａ）に示すようなＡからＦの６枚のコマ画像より構成され、コマ画像Ｂとコマ画像Ｄが非着衣の人物画像を含む画像であるプリント注文情報について処理を行う場合、前記写真画像判別部３６は、先頭のコマ画像Ａから最後のコマ画像Ｆまで順番に自動プリントモードにて非着衣の人物画像が含まれるか否かの判別処理を行う。本構成の場合は、自動プリントモードであるが、プリント注文情報を単位とするので、当該プリント注文情報についての全てのコマ画像についての判別処理が完了するまでは、写真プリントの生成処理は行われない。
【００９２】
前記写真画像判別部３６による判別処理において、あるコマ画像（コマ画像Ｂおよびコマ画像Ｄ）について非着衣の人物画像が含まれると判別されると、前記モード切替部６０は、前記画像データ記憶部３６に前記コマ画像Ｂ、Ｄを格納しておく。
【００９３】
最後のコマ画像Ｆまで判別処理が完了すると、前記モード切替部６０は、前記画像データ記憶部３６に格納されたコマ画像Ｂ、Ｄの枚数（２枚）が予め設定された枚数以上のときに、または、当該プリント注文情報についてのコマ画像Ｂ、Ｄの枚数（２枚）に対する全コマ画像の枚数（６枚）が予め設定された比率以上のときに、自動プリントモードから検閲プリントモードに切り替えて、前記画像検閲部５０は、図９（ｃ）に示すように、当該プリント注文情報についての全てのコマ画像を表示部３１に表示させる。
【００９４】
オペレータが全てのコマ画像について写真プリントの生成を行うか否かの判断を行った後に、全てのコマ画像のうちオペレータが写真プリントの生成を行うとの判断を行ない、プリント選択したコマ画像について写真プリントの生成処理が行われる。
【００９５】
第四の態様
【００９６】
前記モード切替部６０は、前記写真画像判別部３６によりコマ画像データに非着衣の人物画像が含まれると判別されたときに、当該コマ画像が含まれるプリント注文情報を単位として、全コマ画像に対して前記自動プリントモードから前記検閲プリントモードに切り替える。
【００９７】
例えば、図９（ａ）に示すようなＡからＦの６枚のコマ画像より構成され、コマ画像Ｂとコマ画像Ｄが非着衣の人物画像を含む画像であるプリント注文情報について処理を行う場合、前記写真画像判別部３６は、先頭のコマ画像Ａから最後のコマ画像Ｆまで順番に自動プリントモードにて非着衣の人物画像が含まれるか否かの判別処理を行う。本構成の場合は、自動プリントモードであるが、プリント注文情報を単位とするので、当該プリント注文情報についての全てのコマ画像についての判別処理が完了するまでは、写真プリントの生成処理は行われない。
【００９８】
前記写真画像判別部３６による判別処理において、コマ画像Ｂについて非着衣の人物画像が含まれると判別されると、前記モード切替部６０は、自動プリントモードから検閲プリントモードに切り替えて、前記画像検閲部５０は、図９（ｃ）に示すように、当該プリント注文情報についての全てのコマ画像を表示部３１に表示させる。
【００９９】
オペレータが全てのコマ画像について写真プリントの生成を行うか否かの判断を行った後に、全てのコマ画像のうち写真プリントの生成を行うとの判断を行ないプリント選択したコマ画像について写真プリントの生成処理が行われる。
【０１００】
第五の態様
【０１０１】
前記有害度評価部７０は、前記写真画像判別部３６により非着衣の人物画像が含まれると判別された画像データの有害度を評価するように構成されている。
【０１０２】
例えば、胸のみが非着衣である人物画像と全身が非着衣である人物画像とでは、全身が非着衣である人物画像の有害度が胸のみが非着衣である人物画像の有害度よりも高いといった異なる有害度を設定して、前記有害度の高低によって、前記モード切替部６０において自動プリントモードから検閲プリントモードへの切替の有無について判断を行う。
【０１０３】
また、別の例として、非着衣の成年人物画像と非着衣の未成年人物画像とでは、未成年人物画像の有害度が成年人物画像の有害度よりも高いといった異なる有害度を設定して、前記有害度の高低によって、前記モード切替部６０において自動プリントモードから検閲プリントモードへの切替の有無について判断を行う。
【０１０４】
前記モード切替部６０は、前記写真画像判別部３６によりコマ画像データに非着衣の人物画像が含まれると判別され、前記有害度評価部７０により有害度が高いと評価されたときに、当該コマ画像が含まれるプリント注文情報を単位として、全コマ画像に対して前記自動プリントモードから前記検閲プリントモードに切り替える。
【０１０５】
例えば、前記有害度評価部７０において非着衣の成年人物画像の有害度が「低」で、非着衣の未成年人物画像の有害度が「高」である設定がなされており、有害度が「高」の場合のみ、全コマ画像に対して自動プリントモードから検閲プリントモードに切り替えるように設定されている写真画像処理装置４で、図９（ａ）に示すようなプリント注文情報（ＡからＦの６枚のコマ画像より構成され、コマ画像Ｂが非着衣の成年人物画像を含み、コマ画像Ｄが非着衣の未成年人物画像を含む画像であるプリント注文情報）について処理を行う場合について説明する。
【０１０６】
前記写真画像判別部３６は、先頭のコマ画像Ａから最後のコマ画像Ｆまで順番に自動プリントモードにて非着衣の人物画像が含まれるか否かの判別処理を行う。本構成の場合は、自動プリントモードであるが、プリント注文情報を単位とするので、当該プリント注文情報についての全てのコマ画像についての判別処理が完了するまでは、写真プリントの生成処理は行われない。
【０１０７】
前記写真画像判別部３６による判別処理において、コマ画像Ｂについて非着衣の人物画像が含まれると判別されると、前記有害度評価部７０は、前記コマ画像Ｂの有害度が「高」であるか「低」であるかを判断する。本例の場合は、非着衣の成年人物画像の有害度は「低」であることから、全コマ画像に対する自動プリントモードから検閲プリントモードへの切り替えは行わず、前記判別処理が続行される。
【０１０８】
次いで、前記写真画像判別部３６によって、コマ画像Ｄについて非着衣の人物画像が含まれると判別されると、前記有害度評価部７０は、前記コマ画像Ｄの有害度が「高」であるか「低」であるかを判断する。本例の場合は、非着衣の未成年人物画像の有害度は「高」であることから、前記モード切替部６０は、自動プリントモードから検閲プリントモードに切り替えて、前記画像検閲部５０は、図９（ｃ）に示すように、当該プリント注文情報についての全てのコマ画像を表示部３１に表示させる。
【０１０９】
オペレータが全てのコマ画像について写真プリントの生成を行うか否かの判断を行った後に、全てのコマ画像のうち写真プリントの生成を行うとの判断を行いプリント選択したコマ画像について写真プリントの生成処理が行われる。
【０１１０】
尚、上述の第一の態様から第五の態様は夫々単独で実現されるものであっても、組合せで実現されるものであってもよい。例えば、当該プリント注文情報に含まれる非着衣の人物画像が含まれると判別されたコマ画像の枚数または比率が所定値以上の場合は、全コマ画像に対して前記自動プリントモードから前記検閲プリントモードに切り替えて、当該プリント注文情報に含まれる非着衣の人物画像が含まれると判別されたコマ画像の枚数または比率が所定値より小さい場合は、非着衣の人物画像が含まれるコマ画像のみを表示する構成、つまり、上述の第二の態様と第三の態様を組み合わせた態様で実現されるものであってもよい。
【０１１１】
以下、上述の第一の態様から第四の態様について図１０から図１３に示すフローチャートに基づいてその動作を説明する。
【０１１２】
第一の態様を説明する、図１０に示すように、プリント注文情報に基づいてコマ画像が入力してくると（ＳＡ１）、写真画像判別部３６は、当該コマ画像に非着衣の人物画像が含まれるか否かの判別を行って（ＳＡ２）、非着衣の人物画像が含まれていない場合は当該コマ画像について写真プリントの生成処理を行い（ＳＡ３）、非着衣の人物画像が含まれている場合は、モード切替部６０は前記画像データ記憶部３０に当該コマ画像を格納しておく（ＳＡ４）。上記動作を当該プリント注文情報の全てのコマ画像について行う（ＳＡ５）。
【０１１３】
全てのコマ画像についてステップＳＡ１からステップＳＡ４までの処理が完了すると（ＳＡ５）、前記モード切替部６０は、当該プリント注文情報のコマ画像に、少なくとも一枚の非着衣の人物画像が含まれるコマ画像があるか否かを判別し（ＳＡ６）、非着衣の人物画像が含まれるコマ画像が一枚もない場合は、全てのコマ画像について写真プリントの生成処理が既に完了していることになるので処理を終了し、非着衣の人物画像が含まれるコマ画像が少なくとも一枚存在する場合は、自動プリントモードから検閲プリントモードに切り替える。
【０１１４】
画像検閲部５０は、非着衣の人物画像が含まれるコマ画像を表示部３１に表示させ（ＳＡ７）、オペレータは、図８に示すような表示部３１に表示した画面において、表示されたコマ画像について写真プリントを生成するか否かの判断を行う（ＳＡ８）。
【０１１５】
画面に表示された全てのコマ画像について写真プリントを生成するか否かの判断が終了して（ＳＡ９）、オペレータが図８に示す「セット」スイッチ５０６を押圧すると、写真プリントを生成する選択をしたコマ画像について写真プリントの生成処理を行う（ＳＡ１０）。
【０１１６】
第二の態様を説明する。図１１に示すように、プリント注文情報に基づいてコマ画像が入力してくると（ＳＢ１）、写真画像判別部３６は、当該コマ画像に非着衣の人物画像が含まれるか否かの判別を行って（ＳＢ２）、非着衣の人物画像が含まれている場合は、モード切替部６０は前記画像データ記憶部３０に当該コマ画像を格納しておく（ＳＢ３）。上記動作を当該プリント注文情報の全てのコマ画像について行う（ＳＢ４）。
【０１１７】
全てのコマ画像についてステップＳＢ１からステップＳＢ３までの処理が完了すると（ＳＢ４）、前記モード切替部６０は、当該プリント注文情報のコマ画像に、少なくとも一枚の非着衣の人物画像が含まれるコマ画像があるか否かを判別し（ＳＢ５）、非着衣の人物画像が含まれるコマ画像が一枚もない場合は、全てのコマ画像について写真プリントの生成処理を行って処理を終了し（ＳＢ６）、非着衣の人物画像が含まれるコマ画像が少なくとも一枚存在する場合は、自動プリントモードから検閲プリントモードに切り替える。
【０１１８】
画像検閲部５０は、非着衣の人物画像が含まれるコマ画像を表示部３１に表示させ（ＳＢ７）、オペレータは、図８に示すような表示部３１に表示した画面において、表示されたコマ画像について写真プリントを生成するか否かの判断を行う（ＳＢ８）。
【０１１９】
画面に表示された全てのコマ画像について写真プリントを生成するか否かの判断が終了して（ＳＢ９）、オペレータが図８に示す「セット」スイッチ５０６を押圧すると、非着衣の人物画像が含まれていないと判別されたコマ画像と、非着衣の人物画像が含まれていると判別されたコマ画像のうちオペレータが写真プリントの生成を行うとの判断を行ったコマ画像とについて、写真プリントの生成処理が行われる（ＳＢ１０）。
【０１２０】
第三の態様を説明する。図１２に示すように、プリント注文情報に基づいてコマ画像が入力してくると（ＳＣ１）、写真画像判別部３６は、当該コマ画像に非着衣の人物画像が含まれるか否かの判別を行って（ＳＣ２）、非着衣の人物画像が含まれている場合は、モード切替部６０は前記画像データ記憶部３０に当該コマ画像を格納しておく（ＳＣ３）。上記動作を当該プリント注文情報の全てのコマ画像について行う（ＳＣ４）。
【０１２１】
全てのコマ画像についてステップＳＣ１からステップＳＣ３までの処理が完了すると（ＳＣ４）、前記モード切替部６０は、当該プリント注文情報のコマ画像に、少なくとも一枚の非着衣の人物画像が含まれるコマ画像があるか否かを判別し（ＳＣ５）、非着衣の人物画像が含まれるコマ画像が一枚もない場合は、全てのコマ画像について写真プリントの生成処理を行って処理を終了し（ＳＣ６）、非着衣の人物画像が含まれるコマ画像が少なくとも一枚存在する場合は、非着衣の人物画像が含まれるコマ画像の枚数または比率が予め設定された所定値以上であるか否かの判断を行う（ＳＣ７）。
【０１２２】
ステップＳＣ７における判断が所定値より小さい場合は（ＳＣ７）、全てのコマ画像について写真プリントの生成処理を行って処理を終了し（ＳＣ６）、所定値以上の場合は（ＳＣ７）、自動プリントモードから検閲プリントモードに切り替える。
【０１２３】
画像検閲部５０は、当該プリント注文情報についての全てのコマ画像を表示部３１に表示させ（ＳＣ８）、オペレータは、図８に示すような表示部３１に表示した画面において、表示されたコマ画像について写真プリントを生成するか否かの判断を行う（ＳＣ９）。
【０１２４】
画面に表示された全てのコマ画像について写真プリントを生成するか否かの判断が終了して（ＳＣ１０）、オペレータが図８に示す「セット」スイッチ５０６を押圧すると、画面に表示された全てのコマ画像のうちオペレータが写真プリントの生成を行うとの判断を行ったコマ画像について、写真プリントの生成処理が行われる（ＳＣ１１）。
【０１２５】
第四の態様を説明する。図１３に示すように、プリント注文情報に基づいてコマ画像が入力してくると（ＳＤ１）、写真画像判別部３６は、当該コマ画像に非着衣の人物画像が含まれるか否かの判別を行って（ＳＤ２）、非着衣の人物画像が含まれている場合は、モード切替部６０は前記画像データ記憶部３０に当該コマ画像を格納しておく（ＳＤ３）。上記動作を当該プリント注文情報の全てのコマ画像について行う（ＳＤ４）。
【０１２６】
全てのコマ画像についてステップＳＤ１からステップＳＤ３までの処理が完了すると（ＳＤ４）、前記モード切替部６０は、当該プリント注文情報のコマ画像に、少なくとも一枚の非着衣の人物画像が含まれるコマ画像があるか否かを判別し（ＳＤ５）、非着衣の人物画像が含まれるコマ画像が一枚もない場合は、全てのコマ画像について写真プリントの生成処理を行って処理を終了し（ＳＤ６）、非着衣の人物画像が含まれるコマ画像が少なくとも一枚存在する場合は、自動プリントモードから検閲プリントモードに切り替える。
【０１２７】
画像検閲部５０は、当該プリント注文情報についての全てのコマ画像を表示部３１に表示させ（ＳＤ７）、オペレータは、図８に示すような表示部３１に表示した画面において、表示されたコマ画像について写真プリントを生成するか否かの判断を行う（ＳＤ８）。
【０１２８】
画面に表示された全てのコマ画像について写真プリントを生成するか否かの判断が終了して（ＳＤ９）、オペレータが図８に示す「セット」スイッチ５０６を押圧すると、画面に表示された全てのコマ画像のうちオペレータが写真プリントの生成を行うとの判断を行ったコマ画像について、写真プリントの生成処理が行われる（ＳＤ１０）。
【０１２９】
以下、別実施形態について説明する。上述の実施形態では、特徴データ抽出部４６において抽出される姿態特徴データは顔領域から抽出される場合について説明したが、前記姿態特徴データは顔領域以外から抽出されてもよい。例えば、肌領域であれば、身長、胸の大きさや形、ウエストやヒップの輪郭や大きさ等を構成要素とした姿態特徴データとして抽出する構成であってもよい。
【０１３０】
モード切替部６０により自動プリントモードから検閲プリントモードに切り替えられたときに、オペレータに注意を喚起する警報音を発する発報部を備えた構成であってもよい。
【０１３１】
上述の実施形態では、前記写真画像処理装置４は、初期モードが自動プリントモードであり、条件に応じて、つまり、前記写真画像判別部３６による判別結果に基づいて、前記モード切替部６０に自動プリントモードから検閲プリントモードに切り替えられる構成について説明したが、初期モードが検閲プリントモードに設定されるものであってもよい。
【０１３２】
上述の実施形態では、図８に示すような表示部３１に表示した画面において、表示された全てのコマ画像についての写真プリントの生成の有無を判断してから、「セット」スイッチ５０６を押圧することで、表示された全てのコマ画像の写真プリントの生成処理を一括して行う構成について説明したが、表示された各コマ画像について選択する度に写真プリントする構成であってもよい。
【０１３３】
例えば、図８において、アクティブ化されているコマ画像に対して当該コマ画像の写真プリントを生成するか否か選択するプリント選択スイッチ５０３を押圧すると、当該コマ画像に対してのみ即座に写真プリントの生成処理を行う構成であってもよい。
【０１３４】
上述の実施形態では、写真画像処理装置４は受付端末１より入力された写真画像データを処理する構成について説明したが、前記写真画像処理装置４はフィルムスキャナを備えて構成されており、顧客２から受け取った写真フィルムに格納されているコマ画像を前記フィルムスキャナで読み取る構成であってもよい。
【０１３５】
上述の実施形態では、写真プリント注文システムは、図２に示すように、写真ラボ店に設置された受付端末１が顧客２に対応する、つまり、自動受付を行う構成について説明したが、前記写真プリント注文システムは、上記以外の構成であってもよい。
【０１３６】
例えば、前記写真ラボ店に常駐している店員が顧客２から撮影画像データが格納された記憶媒体や写真フィルムを受け取って、出来上がった写真プリントを顧客２に渡す、つまり、店員が顧客２に対応するような構成であってもよい。
【０１３７】
また、顧客２が携帯電話やインターネット等によって撮影画像データのプリントを注文するような構成であってもよい。詳述すると、顧客２は、遠隔地より撮影画像データを写真ラボ店または多数の写真ラボ店を統括するＷＥＢサーバ等に送信して、前記撮影画像データのプリントを注文する。料金の決済は携帯電話やインターネット等によるカード決済等で行う。写真プリントが出来上がったら、プリントを行った写真ラボ点から直接、または、前記ＷＥＢサーバ経由で、写真プリントが出来上がった旨を顧客２の携帯電話等に知らせ、或いは郵送するような構成であってもよい。
【０１３８】
尚、上述した各実施形態は、本発明の一例に過ぎず、本発明の作用効果を奏する範囲において、各ブロックの具体的構成を適宜変更設計できることはいうまでもない。
【図面の簡単な説明】
【０１３９】
【図１】本発明による写真画像処理装置の説明図
【図２】写真プリント注文システムの説明図
【図３】受付端末の説明図
【図４】写真画像処理装置の外観図
【図５】写真画像判別部の機能ブロック構成図
【図６】（ａ）は、顔領域の検出を示し、（ｂ）は、肌領域の検出を示し、（ｃ）は、領域連続性の判別を示し、（ｄ）は、特定領域の検出を示す説明図
【図７】（ａ）は、最初の画素にラベルが付された状態を示し、（ｂ）は、最初の画素に隣接した画素にラベルが付された状態を示し、（ｃ）は、全ての画素のラベルが付された状態を示し、（ｄ）は、３領域を有する画像を示し、（ｅ）は、３領域を有する画像にラベルを付した状態を示すラベリング処理の説明図
【図８】画像検閲部によって表示させられる画面の説明図
【図９】（ａ）は、プリント注文情報についてのコマ画像の例を示し、（ｂ）は、非着衣の人物画像を含むコマ画像のみ検閲プリントモードに切り替えた場合の画面を示し、（ｃ）は、全てのコマ画像を検閲プリントモードに切り替えた場合の画面を示す説明図
【図１０】第一の態様の動作について示すフローチャート
【図１１】第二の態様の動作について示すフローチャート
【図１２】第三の態様の動作について示すフローチャート
【図１３】第四の態様の動作について示すフローチャート
【符号の説明】
【０１４０】
４：写真画像処理装置
３１：表示部
３６：写真画像判別部
５０：画像検閲部
６０：モード切替部
７０：有害度評価部
【図１】
2008033655.tif 000005
【図２】
2008033655.tif 000006
【図３】
2008033655.tif 000007
【図４】
2008033655.tif 000008
【図５】
2008033655.tif 000009
【図７】
2008033655.tif 000010
【図１０】
2008033655.tif 000011
【図１１】
2008033655.tif 000012
【図１２】
2008033655.tif 000013
【図１３】
2008033655.tif 000014
【図６】
2008033655.tif 000015
【図８】
2008033655.tif 000016
【図９】
2008033655.tif 000017